(57)【要約】    【課題】  前倒れ位置・荷室位置・最前傾着座位置・傾斜調節位置の各位置での作動が不確実な点、装置の大型化。    【構成】  メモリプレート１５を背凭取付軸６より傾斜調節用円弧ギヤ１１に近い側にずれた位置に回動自在に取付ける。メモリプレート１５の外周にはメモリ取付軸１６を中心とする円弧状の案内面１７を形成する。座席側ブラケット５には最前傾着座位置Ｆ及び前倒れ位置Ｔになるとメモリプレート１５の回動を停止させて前記ロック部材８を傾斜調節用円弧ギヤ１１又は前倒れ係合溝１２に係合させる前後ストッパ２３、２４を設けた車両用シートのリクライニング装置。【選択図】    図２
2005103137.tif 000002
【特許請求の範囲】
【請求項１】
座席シート２に回動自在に取付けた背凭シート３を、通常着座姿勢において最も前傾状態の最前傾着座位置Ｆおよび最前傾着座位置Ｆより後側に任意に倒した傾斜調節位置Ｃと、前記最前傾着座位置Ｆより前方回動して略垂直に起立した荷室位置Ｎと、該荷室位置Ｎより前側に倒して座席シート２の上方に重なる前倒れ位置Ｔとに変位するように構成し、前記背凭シート３の背凭側ブラケット７にはロックギヤ部１０を有するロック部材８をロック取付軸９により回動自在に設け、前記座席シート２の座席側ブラケット５には前記背凭シート３の回動中心の背凭取付軸６を中心とした円弧状であって前記最前傾着座位置Ｆを含めて前記荷室位置Ｎより後側に傾斜調節用円弧ギヤ１１を形成し、該傾斜調節用円弧ギヤ１１よりも背凭側ブラケット７の傾斜方向前側の座席側ブラケット５には前倒れ位置Ｔで背凭シート３を固定する前倒れ係合溝１２を形成し、前記座席側ブラケット５には、最前傾着座位置Ｆ又は前倒れ位置Ｔの何れか一方側でロックしたロック部材８を離脱させて背凭シート３を回動させると前記荷室位置Ｎを通過して最前傾着座位置Ｆ又は前倒れ位置Ｔの何れか他方側でロック部材８をロックさせる着座位置メモリ手段１４を設け、該着座位置メモリ手段１４はメモリプレート１５を前記背凭取付軸６より傾斜調節用円弧ギヤ１１に近い側にずれた位置に設けたメモリ取付軸１６に回動自在に取付けて構成し、メモリプレート１５の外周にはメモリ取付軸１６を中心とする円弧状であって前記ロック部材８に設けた係合体１８が乗り上げると前記ロック部材８をアンロック状態のままロック部材８と一体回動するように案内する案内面１７を形成し、前記座席側ブラケット５には最前傾着座位置Ｆ及び前倒れ位置Ｔになると前記メモリプレート１５の回動を停止させて前記ロック部材８を傾斜調節用円弧ギヤ１１又は前倒れ係合溝１２に係合させる前後ストッパ２３、２４を設けた車両用シートのリクライニング装置。
【請求項２】
請求項１において、前記傾斜調節用円弧ギヤ１１は前記背凭取付軸６より上方の前記座席側ブラケット５に形成した車両用シートのリクライニング装置。
【請求項３】
請求項１または請求項２において、前記係合体１８は前記背凭取付軸６と平行方向の軸形状に形成した車両用シートのリクライニング装置。
【発明の詳細な説明】
【技術分野】
【０００１】
本発明は、背凭シートを座席シートに回動自在に取付けて、荷室位置や前倒れ位置等の背凭シートの位置の変更や、傾斜角度の調節可能な車両用シートのリクライニング装置に係るものである。
【背景技術】
【０００２】
従来、背凭シートの傾斜角度を調節し、調節した角度を傾斜調節用円弧ギヤにロック部材のロックギヤ部を係合させてロックする車両用シートのリクライニング装置は周知である。
また、車両用シートのリクライニング装置の操作レバーを操作すると、自動的に背凭シートを前倒れさせ、これと同時に、車両用シート全体を前側に移動させるウォークイン装置も公知である。
このウォークイン装置は、ロック部材と傾斜調節用円弧ギヤの噛み合いに、着座位置メモリ手段のメモリプレートを介在させ、一旦前倒れさせた背凭シートを所定角度まで傾斜調節用円弧ギヤを飛ばして起立させるように、メモリプレートにロック部材を当接して傾斜調節用円弧ギヤの噛み合いを阻止し、所定位置でメモリプレートの回動を停止させて、メモリプレートに対してロック部材を摺接させて傾斜調節用円弧ギヤに噛み合せている。
このウォークイン装置は、車両用シートの後席への乗降を容易にさせるためのものであるから、背凭シートは単に前倒れさせているだけでロックされていないので、背凭シートをそのままにしては走行できない。
また、テーブルのように背凭シートを倒した位置でロックすることも想定していない。
この場合、単に傾斜調節用円弧ギヤの前側に前倒れ係合溝を形成したのでは、ロック部材の噛み合いが不確実になる。
公知例の着座位置メモリ手段は、メモリプレートを傾斜調節用円弧ギヤと同一軸心にて回動させてロック部材の噛み合いを阻止するに当たって、バネ弾力によりロック部材をメモリプレートに押し付けてメモリプレートとロック部材を一体回動させて行っている。
そのため、座席シートの上方に重なった位置から着座位置までバネ弾力のみによってメモリプレートをロック部材と共に回動させるのは困難であり、回動中にロック部材がメモリプレートに対して滑って、ロック部材が所定位置以外の場所で係合するという不具合が発生する。
また、傾斜調節用円弧ギヤおよびメモリプレートの径を大きくして、ロック部材の押し付けを強くするため、装置が大型化する。
【特許文献１】特公平４−２５８０５号公報
【発明の開示】
【発明が解決しようとする課題】
【０００３】
前倒れ位置・荷室位置・最前傾着座位置・傾斜調節位置の各位置での作動が不確実な点、装置の大型化。
【課題を解決するための手段】
【０００４】
本発明は、座席シート２に回動自在に取付けた背凭シート３を、通常着座姿勢において最も前傾状態の最前傾着座位置Ｆおよび最前傾着座位置Ｆより後側に任意に倒した傾斜調節位置Ｃと、前記最前傾着座位置Ｆより前方回動して略垂直に起立した荷室位置Ｎと、該荷室位置Ｎより前側に倒して座席シート２の上方に重なる前倒れ位置Ｔとに変位するように構成し、前記背凭シート３の背凭側ブラケット７にはロックギヤ部１０を有するロック部材８をロック取付軸９により回動自在に設け、前記座席シート２の座席側ブラケット５には前記背凭シート３の回動中心の背凭取付軸６を中心とした円弧状であって前記最前傾着座位置Ｆを含めて前記荷室位置Ｎより後側に傾斜調節用円弧ギヤ１１を形成し、該傾斜調節用円弧ギヤ１１よりも背凭側ブラケット７の傾斜方向前側の座席側ブラケット５には前倒れ位置Ｔで背凭シート３を固定する前倒れ係合溝１２を形成し、前記座席側ブラケット５には、最前傾着座位置Ｆ又は前倒れ位置Ｔの何れか一方側でロックしたロック部材８を離脱させて背凭シート３を回動させると前記荷室位置Ｎを通過して最前傾着座位置Ｆ又は前倒れ位置Ｔの何れか他方側でロック部材８をロックさせる着座位置メモリ手段１４を設け、該着座位置メモリ手段１４はメモリプレート１５を前記背凭取付軸６より傾斜調節用円弧ギヤ１１に近い側にずれた位置に設けたメモリ取付軸１６に回動自在に取付けて構成し、メモリプレート１５の外周にはメモリ取付軸１６を中心とする円弧状であって前記ロック部材８に設けた係合体１８が乗り上げると前記ロック部材８をアンロック状態のままロック部材８と一体回動するように案内する案内面１７を形成し、前記座席側ブラケット５には最前傾着座位置Ｆ及び前倒れ位置Ｔになると前記メモリプレート１５の回動を停止させて前記ロック部材８を傾斜調節用円弧ギヤ１１又は前倒れ係合溝１２に係合させる前後ストッパ２３、２４を設けた車両用シートのリクライニング装置としたものである。
本発明は、前記傾斜調節用円弧ギヤ１１は前記背凭取付軸６より上方の前記座席側ブラケット５に形成した車両用シートのリクライニング装置としたものである。
本発明は、前記係合体１８は前記背凭取付軸６と平行方向の軸形状に形成した車両用シートのリクライニング装置としたものである。
【発明の効果】
【０００５】
請求項１の発明では、テーブルとなる前倒れ位置Ｔおよび最前傾着座位置Ｆにて、確実にロックさせる。
請求項２の発明では、リクライニング装置を小型にしてロック部材８および操作機構を背凭シートに設けることができる。
請求項３の発明では、メモリプレート１５を確実に揺動ロック部材８と共に回動させ、摺接抵抗を減少させて、揺動ロック部材８を傾斜調節用円弧ギヤ１１に確実に係合させる。
【実施例１】
【０００６】
本発明の実施例を図面により説明すると、１は車両用シート、２は座席シート、３は座席シート２に回動自在に取付けた背凭シートであり、背凭シート３は、前側に倒すことで座席シート２の上方に重ねてテーブルのように背凭シート３の後面が略平らとなる前倒れ位置Ｔと、略垂直に起立して車両用シート１の後側の空間を拡大する荷室位置Ｎと、着座姿勢で最も急な前傾斜状態の最前傾着座位置Ｆおよび最前傾着座位置Ｆより後側に任意に倒した傾斜調節位置Ｃとに傾斜するように構成している。
【０００７】
５は座席側ブラケットであり、実施例では図示は省略するが、車体側に固定のスライドレールのロアーレールに対して摺動するアッパーレールに固定している。座席側ブラケット５には背凭取付軸６により背凭側ブラケット７を回動自在に取付ける。
背凭側ブラケット７には揺動ロック部材８の基部をロック取付軸９により回動自在に取付け、揺動ロック部材８の先端の前記背凭取付軸６に向いた側にはロックギヤ部１０を形成する。
【０００８】
座席側ブラケット５には前記揺動ロック部材８のロックギヤ部１０が継脱する傾斜調節用円弧ギヤ１１を形成する。傾斜調節用円弧ギヤ１１は、背凭取付軸６を中心とした円弧状に最前傾着座位置Ｆを含めて前記荷室位置Ｎより後側に形成し、荷室位置Ｎで揺動ロック部材８が係合すると荷室状態となり、最前傾着座位置Ｆより後側で係合すると傾斜調節可能状態となる。
傾斜調節用円弧ギヤ１１よりも背凭側ブラケット７の傾斜方向前側の座席側ブラケット５には前倒れ位置Ｔで背凭シート３を固定する前倒れ係合溝１２を形成する。
【０００９】
しかして、座席側ブラケット５には、前倒れ係合溝１２に係合した揺動ロック部材８を離脱させて背凭シート３を起こすと、荷室位置Ｎを通過して最前傾着座位置Ｆでロック固定させる着座位置メモリ手段１４を設ける。着座位置メモリ手段１４はメモリプレート１５を背凭取付軸６より傾斜調節用円弧ギヤ１１に近い側にずれた位置にメモリ取付軸１６により回動自在に取付け、メモリプレート１５の周縁にはメモリ取付軸１６を中心とする円弧状の案内面１７を形成し、案内面１７には前記揺動ロック部材８に設けた係合体１８を当接させる。
【００１０】
係合体１８は背凭取付軸６と平行方向のピン（軸）形状に形成され、後述する操作機構２０のカム体２１により案内面１７に押し付けられるとメモリプレート１５を揺動ロック部材８（背凭シート３）と共に回動させ、メモリプレート１５の移動が停止すると、案内面１７を摺接して、揺動ロック部材８を傾斜調節用円弧ギヤ１１に係合させるように構成する。
前記座席側ブラケット５には、着座位置メモリ手段１４のメモリプレート１５の移動を停止させる前後ストッパ２３、２４を設ける。メモリプレート１５はバネ２５により常時前側移動するように付勢され、前前ストッパ２３に当接して移動停止状態となっている。この状態ではメモリプレート１５の前側に前倒れ係合溝１２が位置するように配置している。
【００１１】
この場合、メモリプレート１５の案内面１７は、中央が前記背凭取付軸６より離れ、その前後両端が背凭取付軸６に近づく円弧形状に形成する。
即ち、メモリプレート１５の案内面１７は、メモリ取付軸１６を中心とする円弧形状に形成することにより、係合体１８の移動方向と案内面１７との交差角度を大にし、係合体１８が案内面１７を押すようにして当接抵抗を大きくし、これによりメモリプレート１５を揺動ロック部材８と確実に共周りさせる（図３）。
換言すると、係合体１８は、案内面１７の両端側では移動方向に対して案内面１７が壁のように作用して、メモリプレート１５を揺動ロック部材８と確実に共周りさせる、
【００１２】
しかして、揺動ロック部材８を傾斜調節用円弧ギヤ１１に係合させた最前傾着座位置Ｆにおいて、揺動ロック部材８を傾斜調節用円弧ギヤ１１から離脱させると、座席側ブラケット５に対して背凭側ブラケット７は回動自由状態になり、背凭側ブラケット７を背凭取付軸６中心に前後回動させて背凭シート３の傾斜角度を調節し、その後再び揺動ロック部材８を傾斜調節用円弧ギヤ１１に係合させてこの背凭シート３の傾斜状態を保持する。
【００１３】
この場合、着座位置メモリ手段１４のメモリプレート１５はバネ２７により常時前側移動するように付勢され、前ストッパ２３に当接して移動停止状態となっているから、最前傾着座位置Ｆより後側に倒した背凭シート３を、揺動ロック部材８を傾斜調節用円弧ギヤ１１から離脱させて起こすと、略垂直に起立した荷室位置Ｎとなり、背凭シート３の後側に荷室スペースを形成できる。
【００１４】
しかして、荷室位置Ｎまたは最前傾着座位置Ｆにおいて、傾斜調節用円弧ギヤ１１から揺動ロック部材８を離脱させて背凭シート３を前側に少し起こすと、揺動ロック部材８の係合体１８は着座位置メモリ手段１４のメモリプレート１５の案内面１７に乗り上げ、座席側ブラケット５の外周に設けた傾斜調節用円弧ギヤ１１とは係合不能状態となり、バネ２５によりメモリプレート１５の案内面１７に強く押し付けられている揺動ロック部材８の係合体１８はメモリプレート１５との摩擦抵抗により着座位置メモリ手段１４と共に回動し、メモリプレート１５が前ストッパ２３に当接して移動停止状態となると、揺動ロック部材８の係合体１８がメモリプレート１５の案内面１７上を摺動し、案内面１７の前側端縁を通過すると、背凭シート３が座席シート２の上方に重なった前倒れ位置Ｔとなって、このとき、案内面１７の前側端縁を通過した揺動ロック部材８の係合体１８は案内面１７から外れてすぐにバネ２５の弾力により前倒れ係合溝１２に係合して、背凭シート３を前倒れ位置Ｔに保持する。
【００１５】
反対に、前倒れ位置Ｔにおいて、揺動ロック部材８を座席側ブラケット５の前倒れ係合溝１２から離脱させると、揺動ロック部材８の係合体１８は着座位置メモリ手段１４の半径方向に対して離れるので、この状態で少し背凭シート３を起こすと、揺動ロック部材８の係合体１８が着座位置メモリ手段１４の案内面１７に乗り上げ、座席側ブラケット５の外周に設けた傾斜調節用円弧ギヤ１１とは係合不能状態となり、バネ２５により着座位置メモリ手段１４の案内面１７に強く押し付けられている揺動ロック部材８の係合体１８は着座位置メモリ手段１４との摩擦抵抗により着座位置メモリ手段１４と共に回動し、着座位置メモリ手段１４の端縁が後ストッパ２４に当接すると、着座位置メモリ手段１４の回動は停止し、この状態で更に背凭シート３を起こすと、揺動ロック部材８の係合体１８は案内面１７を摺接し、案内面１７から外れるとすぐにバネ２５の弾力により傾斜調節用円弧ギヤ１１に係合する。
【００１６】
この場合、着座位置メモリ手段１４のメモリプレート１５は、背凭シート３が荷室位置Ｎ位置を過ぎたとき後ストッパ２４に当たるように配置しているから、前倒れ位置Ｔから背凭シート３を起こすと、荷室位置Ｎ位置を過ぎて最前傾着座位置Ｆで停止し、すぐに着座可能となり、操作性を向上させる。
したがって、前記前ストッパ２３は前倒れ位置Ｔより少し手前に、後ストッパ２４は荷室位置Ｎを過ぎて最前傾着座位置Ｆのときの夫々で、着座位置メモリ手段１４のメモリプレート１５の端縁が当たるように相対的に配置する。
【００１７】
しかして、操作機構２０は、カム体２１の上下中間部を横軸３０により背凭側ブラケット７に回動自在に取付け、カム体２１の下部を揺動ロック部材８のカム面３１に当接させる。カム体２１の上部にはピン３２を設け、ピン３２はレバー３３の一端に設けた長孔３５に係合させる。レバー３３は軸３６により背凭側ブラケット７に回動自在に取付け、レバー３３の他端には前記カム体２１が揺動ロック部材８をロック方向に移動させるように付勢する前記バネ２５を係止する。なお、レバー３３には図示は省略するが、背凭シート３の所定位置に設けたレバ−あるいはノブにより構成する操作部材に接続する。
【００１８】
（実施例の作用）
操作部材を操作してレバー３３を回動させると、レバー３３の長孔３５が回動し、これにより長孔３５にピン３２が係合しているカム体２１を回動させ、カム体２１は揺動ロック部材８のカム面３１に当接して揺動ロック部材８のロックギヤ部１０を傾斜調節用円弧ギヤ１１から離脱させ、背凭側ブラケット７は座席側ブラケット５に対して回動自由状態になり、この状態で背凭シート３を前後回動させて傾斜位置を調節し、次に、操作部材を離すと、バネ２５の弾力によりカム体２１が回動し、カム体２１は揺動ロック部材８を傾斜調節用円弧ギヤ１１に係合させてロックする。
【００１９】
しかして、操作部材を操作して揺動ロック部材８を傾斜調節用円弧ギヤ１１から離脱させて、背凭シート３を前側に倒すと、背凭シート３は座席シート２の上に重なった前倒れ位置Ｔ状態になり、背凭シート３が前倒れ位置Ｔ状態になると、揺動ロック部材８のロックギヤ部１０は座席側ブラケット５の前倒れ係合溝１２に係合してロックされ、前倒れ位置Ｔ状態を保持する。
次に、前倒れ位置Ｔ状態において（図４）、揺動ロック部材８を座席側ブラケット５の前倒れ係合溝１２から離脱させてアンロックにさせると、揺動ロック部材８の係合体１８は着座位置メモリ手段１４のメモリプレート１５の半径方向に対して離れるので、この状態で少し背凭シート３を起こすと、揺動ロック部材８の係合体１８がメモリプレート１５の案内面１７に乗り上げ、座席側ブラケット５の外周に設けた傾斜調節用円弧ギヤ１１とは係合不能状態となる（図５）。
【００２０】
一方、揺動ロック部材８の係合体１８はバネ２５によりメモリプレート１５の案内面１７に強く押し付けられているから、背凭シート３を起こすと、メモリプレート１５は揺動ロック部材８の係合体１８との摩擦抵抗により揺動ロック部材８と共にメモリ取付軸１６中心に回動する（図６）。
この場合、メモリプレート１５の案内面１７は、中央が前記背凭取付軸６より離れ、その前後両端が背凭取付軸６に近づく円弧形状に形成しているから、係合体１８の移動方向と案内面１７との交差角度を大きくして係合体１８の当接抵抗が大きくし、これによりメモリプレート１５を揺動ロック部材８と確実に共周りさせる（図３）。
また、メモリプレート１５の案内面１７は、メモリ取付軸１６を中心とする円弧形状に形成することにより、製造を容易にする。
【００２１】
しかして、着座位置メモリ手段１４のメモリプレート１５が揺動ロック部材８と共に回動すると、メモリプレート１５の端縁が後ストッパ２４に当接し（図６）、メモリプレート１５の回動は停止し、この状態で更に背凭シート３を起こすと、揺動ロック部材８の係合体１８は案内面１７を摺接し（図７）、案内面１７から外れるとすぐにバネ２５の弾力により傾斜調節用円弧ギヤ１１に係合する（図８）。
この場合、後ストッパ２４は、背凭シート３が荷室位置Ｎを過ぎたときメモリプレート１５に当たるように配置しているから、前倒れ位置Ｔから背凭シート３起こすと、荷室位置Ｎを過ぎて最前傾着座位置Ｆで停止し、すぐに着座可能となり、操作性を向上させる。
【００２２】
また、揺動ロック部材８のロックギヤ部１０が傾斜調節用円弧ギヤ１１に係合している最前傾着座位置Ｆにおいて、揺動ロック部材８を傾斜調節用円弧ギヤ１１から離脱させてアンロックにさせ、背凭シート３を起こして揺動ロック部材８のロックギヤ部１０を傾斜調節用円弧ギヤ１１の内の最前方部分に係合させると、車両用シート１の後方に広いスペースを形成する荷室位置Ｎとなる（図１０）。
【００２３】
しかして、反対に、前記した最前傾着座位置Ｆまたは荷室位置Ｎから前倒れ位置Ｔにするとき（図９）、揺動ロック部材８を傾斜調節用円弧ギヤ１１から離脱させてアンロックにさせ、背凭シート３を起こすと、揺動ロック部材８の係合体１８は着座位置メモリ手段１４のメモリプレート１５の半径方向に対して離れて、この状態で更に少し背凭シート３を起こすと、揺動ロック部材８の係合体１８がメモリプレート１５の案内面１７の後側に乗り上げ、座席側ブラケット５の外周に設けた傾斜調節用円弧ギヤ１１とは係合不能状態となって、背凭シート３を前に倒すと、メモリプレート１５は揺動ロック部材８の係合体１８との摩擦抵抗により揺動ロック部材８と共にメモリ取付軸１６中心に回動し、背凭シート３が座席シート２の上方に重なった前倒れ位置Ｔとなる少し前にメモリプレート１５の端縁が前ストッパ２３に当接し（図１１）、メモリプレート１５の回動は停止し、この状態で更に背凭シート３は前に倒れて前倒れ位置Ｔとなり、このとき、案内面１７を摺接した揺動ロック部材８の係合体１８は案内面１７から外れてすぐにバネ２５の弾力により前倒れ係合溝１２に係合する。
【００２４】
しかして、係合体１８は背凭取付軸６と平行方向のピン（軸）形状に形成しているから、案内面１７に点接触で押し付けられ、メモリプレート１５を確実に揺動ロック部材８と共に回動させる。
また、係合体１８は、メモリプレート１５の移動が停止して、案内面１７を摺接するとき、摺接抵抗を減少させて、揺動ロック部材８を傾斜調節用円弧ギヤ１１に確実に係合させる。
【図面の簡単な説明】
【００２５】
【図１】シートの回動停止位置を示す概略側面図。
【図２】リクライニング装置の側面図。
【図３】本願の原理説明図。
【図４】前倒れ位置Ｔの側面図。
【図５】係合体がメモリプレートに乗り上げた側面図。
【図６】メモリプレートの回動状態側面図。
【図７】メモリプレートの停止状態側面図。
【図８】最前傾着座位置Ｆで係合体がメモリプレートから外れた側面図。
【図９】傾斜調節位置Ｃの側面図。
【図１０】シートの回動停止位置を示す側面図。
【図１１】前倒れ位置Ｔへの移行状態側面図。
【符号の説明】
【００２６】
１…車両用シート、２…座席シート、３…背凭シート、５…座席側ブラケット、６…背凭取付軸、７…背凭側ブラケット、８…揺動ロック部材、９…ロック取付軸、１０…ロックギヤ部、１１…傾斜調節用円弧ギヤ、１２…前倒れ係合溝、１４…着座位置メモリ手段、１５…メモリプレート１５、１６…メモリ取付軸、１７…案内面、１８…係合体、２０…操作機構、２１…カム体、２３…前ストッパ、２４…後ストッパ、２５…バネ、２７…バネ、３０…横軸、３１…カム面、３２…ピン、３３…レバー、３５…長孔、３６…軸。
【図１】
2005103137.tif 000003
【図２】
2005103137.tif 000004
【図３】
2005103137.tif 000005
【図４】
2005103137.tif 000006
【図５】
2005103137.tif 000007
【図６】
2005103137.tif 000008
【図７】
2005103137.tif 000009
【図８】
2005103137.tif 000010
【図９】
2005103137.tif 000011
【図１０】
2005103137.tif 000012
【図１１】
2005103137.tif 000013